(57)【要約】【課題】持ち運びの容易な、あるいは取扱いの容易な飲料注ぎ装置を提供すること。【解決手段】飲料注ぎ装置（１）は、飲料及びその劣化を防止するための気体を受け入れ可能である受入空間（２９）を有するハウジング（５）と、受入空間（２９）の開閉を行うための弁機構（７）と、劣化防止用気体を受入空間（２９）に供給可能であるようにハウジングに取り付けられた劣化防止用気体の容器とを備える。ハウジングは、飲料が入れられた瓶の口（１１）をその内部と受入空間（２９）とが気密に連通するように取り付け可能である取付部（３１）を有し、瓶はその口に取り付けられた、弁機構により開閉操作可能である開閉弁（１３）を有する。【選択図】      図２
2008308188.tif 000002
【特許請求の範囲】
【請求項１】
飲料及び該飲料の劣化を防止するための劣化防止用気体を受け入れ可能である受入空間を有するハウジングと、
前記ハウジングの受入空間の開閉を行うための弁機構と、
前記劣化防止用気体が充填された容器であって、前記劣化防止用気体を前記ハウジングの受入空間に供給可能であるように前記ハウジングに取り付けられた容器とを含み、
前記ハウジングは、前記飲料が入れられた瓶の口を該瓶の内部と前記ハウジングの受入空間とが気密に連通するように取り付け可能である取付部を有し、
前記瓶はその口に取り付けられた、前記弁機構により開閉操作可能である開閉弁を有する、
ことを特徴とする、飲料注ぎ装置。
【請求項２】
前記弁機構は前記ハウジングに前記瓶の開閉弁に対して往復動可能に支持された可動部材を備え、該可動部材は、その移動の間前記ハウジングに対して気密に当接する第１の当接部と、前記ハウジングに気密に当接する第２の当接部であって前記瓶の開閉弁に向けての移動により前記ハウジングとの当接が解除可能である第２の当接部と、前記ハウジングに対する前記第２の当接部の当接解除により前記ハウジングの受入空間と連通する前記飲料のための導管部と、前記瓶の開閉弁に対する作用部とを備える、
ことを特徴とする、請求項１に記載の飲料注ぎ装置。
【請求項３】
さらに、前記ハウジングの外部に取り付けられた、前記可動部材を手動で操作するための操作部材を備える、
ことを特徴とする、請求項２に記載の飲料注ぎ装置。
【請求項４】
さらに、前記瓶に取り付けられたホルダと、前記操作部材を機械的に操作するための操作機構とを含み、
前記操作機構は、前記ホルダに相対移動可能に支持されたレバーと、前記操作部材と前記レバーとに連結されたワイヤとを備え、前記レバーの相対移動により前記ワイヤを緊張状態におくことが可能である、
ことを特徴とする、請求項３に記載の飲料注ぎ装置。
【発明の詳細な説明】
【技術分野】
【０００１】
本発明は、ワインのような飲料が詰められた瓶から該飲料をグラスのような容器に注ぎ入れるときに使用される装置、より詳細には、瓶内に空気が侵入しないようにして飲料を注ぐための装置に関する。
【背景技術】
【０００２】
瓶詰めのワインはその開栓と共に空気に触れ、これにより酸化によるワインの品質の劣化が進行し、その風味が損なわれる。従来、瓶からワインを注ぐとき、瓶内に窒素ガスのような劣化防止用気体を流入させ、これにより瓶内のワインの酸化による劣化を防止する飲料注ぎ装置が提案されている（後記特許文献１参照）。
【特許文献１】ＷＯ０３/０９９７０４号公報
【発明の開示】
【発明が解決しようとする課題】
【０００３】
この飲料注ぎ装置は、瓶内からワインを受け入れるハウジングと、該ハウジング内に供給される劣化防止用気体の供給設備とを備えるところ、前記ハウジングと前記供給設備とが分離されている。このような構造のものは、飲料店や飲食店のようにワインが比較的大量に消費される場所への設置に適するが、その持ち運びや取扱いが不便であり、例えばこれを家庭的な使用に供することには不向きであった。
【０００４】
本発明の目的は、持ち運びの容易な、あるいは取扱いの容易な飲料注ぎ装置を提供することにある。
【課題を解決するための手段】
【０００５】
（請求項１に記載の発明の特徴）
請求項１に記載の発明は、飲料注ぎ装置に係り、飲料及び該飲料の劣化を防止するための劣化防止用気体を受け入れ可能である受入空間を有するハウジングと、前記ハウジングの受入空間の開閉を行うための弁機構と、前記劣化防止用気体が充填された容器であって、前記劣化防止用気体を前記ハウジングの受入空間に供給可能であるように前記ハウジングに取り付けられた容器とを含み、前記ハウジングは、前記飲料が入れられた瓶の口を該瓶の内部と前記ハウジングの受入空間とが気密に連通するように取り付け可能である取付部を有し、前記瓶はその口に取り付けられた、前記弁機構により開閉操作可能である開閉弁を有することを特徴とする
【０００６】
請求項１に記載の発明によれば、開閉弁が取り付けられた飲料入りの瓶を本発明に係る飲料注ぎ装置のハウジングに取り付け、弁機構を操作することにより、前記ハウジングから前記飲料をグラスのような容器に注ぎ入れることができる。
【０００７】
前記飲料入りの瓶はその口において前記ハウジングの取付部に取り付けられる。前記ハウジングに取り付けられた前記瓶内の飲料は、前記弁機構の操作によって前記瓶の開閉弁を開くことにより、前記瓶から前記ハウジングの受入空間内に導くことができる。前記ハウジング内への前記飲料の導入は、前記瓶を逆さまにして行うことができる。また、前記受入空間は前記飲料の劣化防止用気体を受け入れることができる。前記受入空間への前記劣化防止用気体の導入は、前記飲料を前記ハウジングの受入空間に導入する前に行う。すなわち、前記瓶の開閉弁を閉じた状態下で、前記劣化防止用気体を前記ハウジングの受入空間に供給し、また前記弁機構の操作により前記受入空間を開く。これにより、前記受入空間内の空気が前記劣化防止用気体により前記受入空間外に押しやられ、前記受入空間内は前記劣化防止用気体で満たされる。前記瓶の開閉弁は、前記ハウジングの受入空間が前記劣化防止用気体で満たされた状態下で開かれる。この間、前記受入空間内への前記劣化防止用気体の供給が継続される。前記瓶の開閉弁が開かれると、前記受入空間内の劣化防止用気体が前記瓶内に侵入し、前記瓶内の飲料が前記受入空間内に流下する。これにより、前記瓶内への空気の流入とこれに伴う前記瓶内の飲料の劣化が防止される。前記瓶内から前記ハウジングの受入空間内に受け入れられた飲料は、次いで、前記弁機構を介して前記受入空間から出る。
【０００８】
本発明にあっては、前記劣化防止用気体を収容する容器が前記ハウジングに取り付けられ、これらが一体をなしていることから、これらが分離したものと異なり、その持ち運びが容易であり、またその取り扱いが容易である。
【０００９】
（請求項２に記載の発明の特徴）
請求項２に記載の発明は、請求項１に記載の発明の構成を備えた上で、前記弁機構が前記ハウジングに前記瓶の開閉弁に対して往復動可能に支持された可動部材を備え、該可動部材が、その移動の間前記ハウジングに対して気密に当接する第１の当接部と、前記ハウジングに気密に当接する第２の当接部であって前記瓶の開閉弁に向けての移動により前記ハウジングとの当接が解除可能である第２の当接部と、前記ハウジングに対する前記第２の当接部の当接解除により前記ハウジングの受入空間と連通する前記飲料のための導管部と、前記瓶の開閉弁に対する作用部とを備えることを特徴とする。
【００１０】
請求項２に記載の発明によれば、前記弁機構の可動部材の移動の間、前記ハウジングの受入空間は前記可動部材の第１の当接部により常に閉じられた状態におかれる。他方、前記可動部材が前記瓶の開閉弁に向けて移動するとき、前記ハウジングの受入空間は前記可動部材の第２の当接部の作用により開かれた状態におかれ、前記受入空間は前記可動部材の導管部と連通する。この連通により、前記ハウジングの受入空間内に供給された劣化防止用気体により前記受入空間内の空気を前記ハウジング外に排出することができる。また、前記可動部材を前記瓶の開閉弁に向けてさらに移動させると、前記可動部材の作用部が前記瓶の開閉弁を開く作用をなす。これにより、前記瓶内の飲料が前記ハウジングの受入空間への導入が可能とされ、前記受入空間内に導入された飲料は、前記導管部を通して前記ハウジング外に導くことができる。
【００１１】
（請求項３に記載の発明の特徴）
請求項３に記載の発明は、請求項２に記載の発明の構成を備えた上で、さらに、前記ハウジングの外部に取り付けられた、前記可動部材を手動で操作するための操作部材を備えることを特徴とする。
【００１２】
請求項３に記載の発明によれば、操作部材の手動操作により、前記ハウジングの外部において前記可動部材を動かし、前記ハウジングの受入空間の開閉動作及び前記瓶の開閉弁の開閉動作を行うことができる。
【００１３】
（請求項４に記載の発明の特徴）
請求項４に記載の発明は、請求項３に記載の発明の構成を備えた上で、さらに、前記瓶に取り付けられたホルダと、前記操作部材を機械的に操作するための操作機構とを含み、前記操作機構は、前記ホルダに相対移動可能に支持されたレバーと、前記操作部材と前記レバーとに連結されたワイヤとを備え、前記レバーの相対移動により前記ワイヤを緊張状態におくことが可能であることを特徴とする。
【００１４】
請求項４に記載の発明によれば、ホルダを介して、前記飲料が入った瓶、前記ハウジング及び前記劣化防止用気体の容器からなる組立体を容易に手に持つことができ。また、レバーの手元操作により、前記弁機構における可動部材を操作するための操作部材をワイヤを介して遠隔操作することができ、これにより、前記弁機構の開閉動作と、前記瓶の開閉弁の開閉動作と、飲料の注ぎ出しとを容易に行うことができる。
【発明の効果】
【００１５】
本発明によれば、持ち運びの容易な、あるいは取扱いの容易な飲料注ぎ装置を提供することができる。
【発明を実施するための最良の形態】
【００１６】
図１及び図２を参照すると、本発明に係る飲料注ぎ装置が全体に符号１で示されている。飲料注ぎ装置１は、瓶３に入れられたワイン、ウイスキー、ブランデー、炭酸入り飲料、栄養剤、乳製品、果肉入り果汁のような飲料、特にワインをグラスのような容器に注ぎ入れるために用いられる。飲料注ぎ装置１は、瓶３に取り付けられるハウジング５と、ハウジング５内に設けられ該ハウジングの後記受入空間２９の開閉に供される弁機構７（図２）と、前記飲料の例えば酸化による劣化を防止するための窒素を主成分とする気体のような劣化防止用気体が充填された容器９とを含む。容器９は、前記劣化防止用気体をハウジング５の後記受入空間２９に供給可能であるようにハウジング５に取り付けられている。
【００１７】
瓶３は、その口１１に取り付けられた開閉弁１３（図２）を備える。開閉弁１３は、筒状の本体１５を有する。本体１５はその一部（図２において下部）が瓶３の口１１の内部に挿入され、残りの他の一部（図２において上部）が口１１の外部に突出している。本体１５は瓶の口１１に挿入された前記一部（下部）にその外周を取り巻く複数段の環状のフランジ部１７を有する。これらのフランジ部１７は弾性を有し、また瓶３の口１１の口径より大きい直径を有する。図示の例では、本体１５とフランジ部１７とはプラスチック材料により一体に形成されている。フランジ部１７は瓶の口１１の内部でその周面に弾性変形した状態で密接している。この密接により、瓶の口１１と本体１５との間に気密性が保たれる。この気密性により、瓶３外への飲料の漏れ並びに瓶３内への空気の流入及び後述する瓶３内の前記劣化防止用気体の流出が阻止される。フランジ部１７の直径が瓶の口の内径より大きいものに設定されているのは、前記気密性の保持の他、開閉弁１３を種々の口径の瓶の口に適用可能とするためである。
【００１８】
他方、開閉弁１３の本体１５の前記他の一部の開放端面（図２において上端面）上には環状の弁座１９が載置されている。弁座１９は、本体１５の前記他の一部（上部）にこれに螺合する環状のキャップ２１により、本体１５に固定されている。
【００１９】
開閉弁１３の本体１５の内部を規定する筒状の空間には、弁体２３と、コイルばね２５とが配置されている。コイルばね２５は圧縮された状態におかれ、その一端（図２において上端）が弁体２３に接し、その他端（図２において下端）が本体１５の内周面に設けられたばね受け２７に掛けられている。他方、弁体２３はコイルばね２５のばね力を受けて弁座１９に押し付けられている。これにより、開閉弁１３は閉じられた状態にある。この状態下において、弁体２３と弁座１９との間が気密に保たれ、これにより、瓶３外への飲料の漏れ並びに瓶３内への空気の流入及び瓶３内の前記劣化防止用気体の流出が阻止される。瓶３内の飲料は、開閉弁１３を開くこと、すなわち弁体２３をコイルばね２５のばね力に抗して押圧し、弁体２３を弁座１９から離すことにより、これらの間を通して取り出すことができる。瓶３の口１１への開閉弁１３の取り付けは前記劣化防止用気体の雰囲気中で行うことができ、これにより、瓶３内に前記劣化防止用気体を封入することができる。
【００２０】
飲料注ぎ装置１のハウジング５は図示の例では全体に筒状を呈し、その両端部が開放している。ハウジング５の一方の端部（図２において下端部）は大きい開口２６を有し、これに相対する他方の端部（図２において上端部）は小さい開口２８を有する。ハウジング５は、その両端部間に、両開口２６，２８に連通する空間２９を有する。空間２９は、瓶３内の飲料と容器９内の劣化防止用気体を受け入れるための受入空間をなす。
【００２１】
ハウジング５の前記大きい開口２６を有する一方の端部（下端部）は、瓶３のための取付部３１をなす。取付部３１はその内部に瓶３の口１１を受け入れることができる内径を有する。また、図示の例では、取付部３１はその口径が漸減する開放端部分３３を有する。取付部３１には、その周囲を取り巻くナット３５が螺合される。ナット３５は、これを取付部３１の開放端部分３３に螺合させ、取付部３１の開放端部分３３に連なる基部分３７に向けて進めると、取付部３１の開放端部分３３をその周囲から締め付け、開放端部分３３をその放射方向内方に弾性変形させ得るように形成されている。
【００２２】
ハウジング５の取付部３１内に受け入れられた瓶３の口１１と、取付部３１との間には筒状のパッキン３９が配置される。パッキン３９はナット３５の前記締め付け作用により開放端部分３３によりその周囲から圧迫され、これにより瓶３の口１１とハウジング５の取付部３１との間から受入空間２９に空気が流入しないように、また受入空間２９内に導入された前記劣化防止用気体が受入空間２９外に流出しないように気密に保持され、またハウジング５が瓶３の口１１に確実に固定される。
【００２３】
瓶３内の飲料及び容器９内の劣化防止用気体を受け入れ可能であるハウジング５の受入空間２９は弁機構７を操作することにより開閉することができる。また、弁機構７を操作することにより、瓶３の開閉弁１３を開閉することができる。図示の弁機構７は、ハウジング５に該ハウジングの軸線上を伸びるように支持され、ハウジング５の軸線上を往復移動可能である可動部材４１を備える。
【００２４】
弁機構７の可動部材４１は細長い全体形状を有し、ハウジング５の内部（受入空間２９）から、ハウジング５の一端部の小さい開口２８を経て、ハウジング５の外部に伸びている。可動部材４１は、ハウジング５の開口２８を規定するハウジング５の壁４３の周面にそれぞれ気密に当接する第１の当接部４５及び第２の当接部４７と、開口２８からハウジング５の外部に突出する導管部４９と、ハウジング５の受入空間２９内にあって瓶３の開閉弁１３の弁体２３に作用し、その開閉操作を行う棒状の作用部５１と、第２の当接部４７と作用部５１との間にあってこれらに連なり、壁４３に当接可能である肩部５３とを有する。
【００２５】
ハウジング５の受入空間２９内にはその軸線方向へ伸びる圧縮されたコイルばね５５が配置されている。コイルばね５５は、その一端部（図２において上端部）において可動部材４１の肩部５３に接し、その他端部（図２において下端部）においてばね受け５７に接している。ばね受け５７はハウジング５と一体をなし、ハウジング５の内周面からその受入空間２９を横断する板体からなる。ばね受け５７は、図３に示すように、可動部材４１の作用部５１の貫通を許す孔５９と、孔５９の周囲の複数の開口６１とを有する。これらの孔５９及び開口６１を通して、受入空間２９はばね受け５７の両側においてハウジング５の軸線方向に連続している。可動部材４１は、コイルばね５５のばね力を受けて、その肩部５３において、ハウジング５の壁４３の軸線方向に関する端面に押し付けられ、これに接している。
【００２６】
可動部材４１の肩部５３が壁４３の端面に接しているとき、可動部材４１の第１の当接部４５及び第２の当接部４７はいずれも壁４３の内周面に気密に接する。これにより、ハウジング５の開口２８が閉じられ、ハウジング５の受入空間２９は閉じられた状態に維持される。なお、ハウジングの開口２８及びばね受け５７の孔５９は、可動部材４１に対し、ハウジング５の軸線方向への移動の際の案内作用をなす。
【００２７】
可動部材４１の第１の当接部４５及び第２の当接部４７は、ハウジング５の軸線方向に間隔をおいて配置されており、第１の当接部４５はハウジング５の開口２８の開放端の近傍に位置し、第２の当接部４７は開口２８の開放端から離れた箇所に位置する。第１の当接部４５における気密性は、実質的に、第１の当接部４５の周囲を取り巻くＯリング６２により確保されている。他方、第２の当接部４７における気密性は、ハウジング５の壁４３の内周面に取り付けられ、第２の当接部４７の周面に接するＯリング６３により確保されている。
【００２８】
可動部材４１は、さらに、第１の当接部４５と第２の当接部４７との間に窪み部６５を有する。窪み部６５と第１の当接部４５とは中空であり、これらは導管部４９に連通している。窪み部６５にはその周方向に間隔をおいて１又は複数の開口６７が設けられている。
【００２９】
可動部材４１をコイルばね５５のばね力に抗して瓶３の開閉弁１３に向けて移動させると、第２の当接部４７がハウジングの開口２８を脱し、Ｏリング６３との接触が解除される（図５参照）。ただし、第１の当接部４５のハウジングの壁４３に対する当接は、可動部材４１の停止及び移動の間、常に維持される。第２の当接部４７がハウジング５の開口２８を脱すると、可動部材４１の窪み部６５の開口６７がハウジングの受入空間２９と連通し、これにより受入空間２９は可動部材４１の導管部４９と連通する。その結果、受入空間２９は開状態におかれる。
【００３０】
また、可動部材４１の作用部５１は、第２の当接部４７がハウジング５の開口２８を脱した直後の状態（図５に示す状態）において、ハウジング５に取り付けられた瓶３の開閉弁１３の弁体２３に接しないか、又は接しても弁体２３に押圧力を及ぼさないような長さに設定されている。したがって、この状態では、瓶３は開栓されず、このため瓶３の内部とハウジング５の受入空間２９とは連通することなく、受入空間２９内の空気が瓶３内に流入することはない。
【００３１】
ハウジング５に取り付けられた瓶３からの飲料の取り出しに際しては、第２の当接部４７がハウジング５の開口２８を脱した直後の前記状態（図５に示す状態）下で、第２の当接部４７がハウジングの開口２８を脱する直前から、ハウジング５に取り付けられた容器９から前記劣化防止用気体（Ｎ）をハウジング５内の受入空間２９に供給する。劣化防止用気体Ｎは大気圧を超える圧力をもって容器９に充填されており、このため、劣化防止用気体Ｎが受入空間２９に導入されると、受入空間２９内を占めていた空気が窪み部６５の開口６７及び導管部４９を通して受入空間２９外に押し出され、受入空間２９は劣化防止用気体Ｎで満たされる。このとき、劣化防止用気体Ｎは第１の当接部４５における気密性により、開口２８を経て受入空間２９外に流出することはない。
【００３２】
次に、図６に示すように、可動部材４１をさらに瓶３の開閉弁１３に向けて移動させる。これにより、可動部材４１の作用部５１が瓶３の開閉弁１３の弁体２３に突き当たり、これを押圧する。その結果、開閉弁１３が開き、瓶３の内部とハウジングの受入空間２９とが連通する。これを、瓶３を傾けた状態で行う。その結果、受入空間２９内の劣化防止用気体Ｎが開閉弁１３を経て瓶３内に流入し、また、瓶３内の飲料が開閉弁１３を経てハウジングの受入空間２９内に流下する。受入空間２９内に受け入れられた飲料は、窪み部６５の開口６７及び導管部４９を経て、該導管部からグラスのような容器Ｇに前記飲料を注ぎ入れられる。この間、ハウジング５の受入空間２９内への劣化防止用気体Ｎの供給を継続する。
【００３３】
再び図１及び図２を参照すると、劣化防止用気体Ｎを収容する容器９は例えばボンベからなり、例えば直角に折れ曲がる剛性の導管６９を介して、ハウジング５に取り付けられている。ハウジング５には、導管６９の開放先端部７１を受け入れ可能であるポート７３が設けられている。ポート７３は受入空間２９に連通している。ポート７３に受け入れられた導管６９の開放先端部７１は、ポート７３に螺合されたキャップ７５により、ハウジング５に固定されている。図示の例では、導管６９の開放先端部７１と、ハウジング５のポート７３とが球面対偶をなしている。したがって、ハウジング５に対して劣化防止用気体の容器９を回転させることができ、これによりハウジング５に対する容器９の姿勢を容易に変更することができる。容器９の姿勢変更により、飲料注ぎ装置１の把持をより容易にすることができる。なお、符号７７は、容器９内の劣化防止用気体Ｎの流量を調整するための弁を示す。
【００３４】
ハウジング５に劣化防止用気体の容器９を取り付けることにより、これらを一体のものとして扱うことができる。このため、飲料注ぎ装置１は、持ち運びが容易であり、また操作性に優れ、片手での操作が可能である（図６）。容器９及びハウジング５は、これらのサイズを任意の大きさに設定することができる。
【００３５】
ところで、ハウジング５の受入空間２９の開閉を行うための弁機構７を構成する可動部材４１の操作は、その導管部４９を指でつかみ、これをハウジング５の軸線方向に移動させることにより行うことが可能であるが、図示の例では、飲料注ぎ装置１の片手による操作をより容易にするため、可動部材４１を一本の指で手動操作することができるようにするための操作部材７９が設けられている。
【００３６】
図２及び図４に示すように、操作部材７９は、可動部材４１の導管部４９の周囲に互いに間隔をおいて配置されかつ導管部４９に固定され、導管部４９からその放射方向外方へ伸びる複数の頭付ピン８１と、ハウジング５の壁４３の外周面に固定されたキャップ状の案内部材８３とからなる。案内部材８３は、後述するように、各頭付ピン８１をハウジング５の軸線方向に案内する作用をなす。
【００３７】
キャップ状を呈する案内部材８３は、その開放端部（図２において下端部）においてハウジング５の壁４３の周囲を取り巻き、案内部材８３の前記開放端部に相対する閉鎖端部（図２において上部）がハウジング５の壁４３からその軸線方向に間隔をおいた位置に位置する。案内部材８３の前記閉鎖端部には、可動部材４１の導管部４９の貫通を許す孔８５が設けられている。また、案内部材８３の側部、すなわち前記開放端部と前記閉鎖端部との間の部分にはハウジング５の軸線方向に伸びる複数のスリット８７が設けられている。各スリット８７は、各頭付ピン８１に対応して設けられている。なお、頭付ピン８１の数量及びスリット８７の数量はそれぞれ少なくとも１つとすることができる。
【００３８】
各頭付ピン８１は、案内部材８３の内部からその外部へ各スリット８７を経て伸びている。各頭付ピン８１の頭部は案内部材８３の外部に位置する。頭付ピン８１はその頭部を指で操作することにより、スリット８７に沿って、すなわちスリット８７の案内作用下で移動させることができる（図６参照）。いずれかの頭付ピン８１の移動により、頭付ピン８１が固定された導管部４９を介して、可動部材４１がハウジング５の軸線方向に移動する。これにより、飲料注ぎ装置１を片手に持っての可動部材４１の操作を容易に行うことができる。なお、スリット８７は、予め設定された可動部材４１の移動距離に等しい長さ寸法を有する。したがって、頭付ピン８１のスリット８７に沿っての移動により可動部材４１の移動量を正確に制御することができる。
【００３９】
次に図７及び図８を参照すると、飲料注ぎ装置１の他の例が示されている。この例の飲料注ぎ装置１は、瓶３に取り付け可能であるホルダ８９を含む。
【００４０】
ホルダ８９はプラスチックのような弾性材料からなり、両端（図上において上端及び下端）を有する取手部９１と、取手部９１の両端に連なり、図上において水平に伸びる互いに平行な２つの把持部９３，９５とを有する。両把持部９３，９５はそれぞれＣ形の平面形状を有し（図８参照）、瓶３の本体９７及び首９９の周囲を部分的に取り巻きかつこれらを把持することができる。両把持部９３，９５が瓶３の本体９７及び首９９を把持した状態において、取手部９１と瓶３との間には間隔が存する。これによれば、取手部９１を片手でつかみ、飲料入りの瓶３及びこれに取り付けられたハウジング５、容器９等を容易にまた安定的に保持することができ、これにより、飲料の注ぎ動作を円滑に行うことができる。
【００４１】
また、ホルダ８９はさらに容器９のための把持部１０１を有するものとすることができる。把持部１０１は、ホルダ８９の取手部９１と、瓶３の首９９のための把持部９５との間に設けられている。把持部１０１もまた同様にＣ形の平面形状を有し、容器９の周囲を部分的に取り巻き、これを把持することができる。ホルダ８９の把持部９３，９５，１０１による瓶３及び容器９の把持及びその解除は、それぞれ、これらの把持部９３，９５，１０１が拡径されるようにこれらを弾性変形させる間に各把持部９３，９５，１０１のＣ形の空間に瓶３及び容器９を入れ、及び該空間から引き出す（図８参照）ことにより行うことができる。
【００４２】
図７に示す飲料注ぎ装置１は、さらに、その弁機構７の可動部材４１の操作部材７９を機械的に操作するための操作機構１０３を備える。操作機構１０３は、ホルダ８９の取手部９１に相対移動可能に取り付けられたＬ形のレバー１０５と、ワイヤ１０７とを有する。レバー１０５は、一端部１０９と他端部１１１とを有し、両端部間において、ピン１１３を介して該ピンの周りに揺動可能であるように取手部９１に取り付けられている。他方、ワイヤ１０７は、その一端部において操作部材７９のいずれかの頭付ピン８１に連結され、また、その他端部において、レバー１０５の一端部１０９に連結されている。
【００４３】
これによれば、ホルダ８９の取手部９１を持ち、レバー１０５の他端部１１１を握ってレバー１０５をピン１１３の周りに揺動させると、ワイヤ１０７が緊張する。ワイヤ１０７の緊張により、操作部材７９の頭付ピン８１をスリット８７に沿って移動させることができる。頭付ピン８１の移動量は、レバー１０５の揺動量を調整することにより調整することができる。なお、レバー１０５は、図示のＬ形のものに代えて、他の任意の形状のものを選択することができ、また例えばホルダ８９の取手部９１に沿って直線移動可能のものとすることができる。
【００４４】
図７に示すように、瓶３とこれに取り付けられた飲料注ぎ装置１は、例えばテーブル１１５の上に直立に立てて、あるいは、図９及び図１０に示すように、温度調節機能を有する容器１１７や、氷や水を入れることができる容器１１９に入れて保管することができる。図９及び図１０に示すような方法は、図７に示すような方法に比べて、飲料注ぎ装置１をより安定的に保管することができる。
【００４５】
図１１に示すように、飲料の劣化を防止するための気体を収容する容器９は、比較的長い導管１２１を介して、ハウジング５に連通するように取り付けることができる。導管１２１は、プラスチックのような軟らかい材料又は金属のような剛性材料で形成することができる。また、好ましくは、容器９はホルダ８９で保持する。この例では、容器９を保持するためのＣ形の把持部１０１が、瓶３の本体９７のための把持部９３と、取手部９１との間に設けられている。
【図面の簡単な説明】
【００４６】
【図１】瓶に取り付けられた、本発明に係る飲料注ぎ装置の正面図である。
【図２】飲料注ぎ装置の縦断面図である。
【図３】図２の線Ｘ−Ｘに沿って得た横断面図である。
【図４】図２の線Ｙ−Ｙに沿って得た横断面図である。
【図５】弁機構の操作によりハウジングの受入空間を開きかつ該受入空間に劣化防止用気体を導入する状態にある飲料注ぎ装置の縦断面図である。
【図６】瓶内の飲料をグラスに注いでいる状態にある飲料注ぎ装置の縦断面図である。
【図７】瓶が取り付けられた飲料注ぎ装置の他の例であって、テーブル上におかれた飲料注ぎ装置の正面図である。
【図８】図７の線Ｚ−Ｚに沿って得た横断面図である。
【図９】温度調整機能を有する容器内におかれた、図７に示すと同様の飲料注ぎ装置の正面図である。
【図１０】氷や水を収容可能である容器内におかれた、図７に示すと同様の飲料注ぎ装置の正面図である。
【図１１】さらに、他の例に係る飲料注ぎ装置を瓶と共に示す正面図である。
【符号の説明】
【００４７】
１  飲料注ぎ装置
３  瓶
５  ハウジング
７  弁機構
９  劣化防止用気体の収容容器
１１  瓶の口
１３  瓶の口に付けられた開閉弁
２９  ハウジングに設けられた、飲料及び劣化防止用気体のための受入空間
４１  可動部材（弁機構）
４５  可動部材の第１の当接部
４７  可動部材の第２の当接部
４９  可動部材の導管部
５１  可動部材の作用部
６５  可動部材の窪み部
７９  可動部材の操作部材
８９  ホルダ
１０３  操作機構
【図１】
2008308188.tif 000003
【図２】
2008308188.tif 000004
【図３】
2008308188.tif 000005
【図４】
2008308188.tif 000006
【図５】
2008308188.tif 000007
【図６】
2008308188.tif 000008
【図７】
2008308188.tif 000009
【図８】
2008308188.tif 000010
【図９】
2008308188.tif 000011
【図１０】
2008308188.tif 000012
【図１１】
2008308188.tif 000013